(57)【要約】【課題】  携帯電話機におけるテンキー入力による方法を大きく変えることなく、即ち、慣れ親しんだ文字入力方法に基本的な変更を加えること無く、しかしながらキーの押下回数を少なくできる文字入力が可能な携帯電話機を提供することである。【解決手段】    テンキーにおける「１」のキーには少なくとも５ケ所の位置に対応してセンサを設け、この５ケ所の位置におけるセンサに対応して「ア」「イ」「ウ」「エ」「オ」に対応する情報が割り振られていて、「１」のキーにおけるセンサの「ア」「イ」「ウ」「エ」「オ」に対応する位置の動作により「ア」「イ」「ウ」「エ」「オ」の情報が携帯電話機の制御手段に入力されるよう構成する。【選択図】    図１２
2005244264.tif 000002
【特許請求の範囲】
【請求項１】
テンキーを備えた携帯電話機において、
テンキーにおける第１のキーには少なくとも５ケ所の位置に対応してセンサが設けられ、この５ケ所の位置におけるセンサに対応して「ア」「イ」「ウ」「エ」「オ」に対応する情報が割り振られていて、第１のキーにおけるセンサの「ア」「イ」「ウ」「エ」「オ」に対応する位置の動作により「ア」「イ」「ウ」「エ」「オ」の情報が携帯電話機の制御手段に入力されるよう構成されており、
テンキーにおける第２のキーには少なくとも５ケ所の位置に対応してセンサが設けられ、この５ケ所の位置におけるセンサに対応して「カ」「キ」「ク」「ケ」「コ」に対応する情報が割り振られていて、第２のキーにおけるセンサの「カ」「キ」「ク」「ケ」「コ」に対応する位置の動作により「カ」「キ」「ク」「ケ」「コ」の情報が携帯電話機の制御手段に入力されるよう構成されており、
テンキーにおける第３のキーには少なくとも５ケ所の位置に対応してセンサが設けられ、この５ケ所の位置におけるセンサに対応して「サ」「シ」「ス」「セ」「ソ」に対応する情報が割り振られていて、第３のキーにおけるセンサの「サ」「シ」「ス」「セ」「ソ」に対応する位置の動作により「サ」「シ」「ス」「セ」「ソ」の情報が携帯電話機の制御手段に入力されるよう構成されており、
テンキーにおける第４のキーには少なくとも５ケ所の位置に対応してセンサが設けられ、この５ケ所の位置におけるセンサに対応して「タ」「チ」「ツ」「テ」「ト」に対応する情報が割り振られていて、第４のキーにおけるセンサの「タ」「チ」「ツ」「テ」「ト」に対応する位置の動作により「タ」「チ」「ツ」「テ」「ト」の情報が携帯電話機の制御手段に入力されるよう構成されており、
テンキーにおける第５のキーには少なくとも５ケ所の位置に対応してセンサが設けられ、この５ケ所の位置におけるセンサに対応して「ナ」「ニ」「ヌ」「ネ」「ノ」に対応する情報が割り振られていて、第５のキーにおけるセンサの「ナ」「ニ」「ヌ」「ネ」「ノ」に対応する位置の動作により「ナ」「ニ」「ヌ」「ネ」「ノ」の情報が携帯電話機の制御手段に入力されるよう構成されており、
テンキーにおける第６のキーには少なくとも５ケ所の位置に対応してセンサが設けられ、この５ケ所の位置におけるセンサに対応して「ハ」「ヒ」「フ」「ヘ」「ホ」に対応する情報が割り振られていて、第６のキーにおけるセンサの「ハ」「ヒ」「フ」「ヘ」「ホ」に対応する位置の動作により「ハ」「ヒ」「フ」「ヘ」「ホ」の情報が携帯電話機の制御手段に入力されるよう構成されており、
テンキーにおける第７のキーには少なくとも５ケ所の位置に対応してセンサが設けられ、この５ケ所の位置におけるセンサに対応して「マ」「ミ」「ム」「メ」「モ」に対応する情報が割り振られていて、第７のキーにおけるセンサの「マ」「ミ」「ム」「メ」「モ」に対応する位置の動作により「マ」「ミ」「ム」「メ」「モ」の情報が携帯電話機の制御手段に入力されるよう構成されており、
テンキーにおける第８のキーには少なくとも３ケ所の位置に対応してセンサが設けられ、この３ケ所の位置におけるセンサに対応して「ヤ」「ユ」「ヨ」に対応する情報が割り振られていて、第８のキーにおけるセンサの「ヤ」「ユ」「ヨ」に対応する位置の動作により「ヤ」「ユ」「ヨ」の情報が携帯電話機の制御手段に入力されるよう構成されており、
テンキーにおける第９のキーには少なくとも５ケ所の位置に対応してセンサが設けられ、この５ケ所の位置におけるセンサに対応して「ラ」「リ」「ル」「レ」「ロ」に対応する情報が割り振られていて、第９のキーにおけるセンサの「ラ」「リ」「ル」「レ」「ロ」に対応する位置の動作により「ラ」「リ」「ル」「レ」「ロ」の情報が携帯電話機の制御手段に入力されるよう構成されている
ことを特徴とする携帯電話機。
【請求項２】
テンキーにおける第１０のキーには少なくとも３ケ所の位置に対応してセンサが設けられ、この３ケ所の位置におけるセンサに対応して「ワ」「ヲ」「ン」に対応する情報が割り振られていて、第１０のキーにおけるセンサの「ワ」「ヲ」「ン」に対応する位置の動作により「ワ」「ヲ」「ン」の情報が携帯電話機の制御手段に入力されるよう構成されていることを特徴とする請求項１の携帯電話機。
【発明の詳細な説明】
【技術分野】
【０００１】
本発明は携帯電話機に関する。
【背景技術】
【０００２】
従来より各種の携帯電話機が提案されている。これらの携帯電話機の基本構造は、液晶表示部と、１，２，３，４，５，６，７，８，９，０の数字に当たる入力ボタンやその他にも各種の情報が割り振られた入力ボタンからなる情報入力部と、情報入力部で入力された情報を基にして各機構部を制御する制御部と、その他マイクロホンとかスピーカ等の基本的な部材を備えている。尚、「１」のボタンに対しては「ア行」の情報も割り当てられており、「１」のボタンを１回押すと「ア」の情報が制御部に入力され、「１」のボタンを２回押すと「イ」の情報が制御部に入力され、「１」のボタンを３回押すと「ウ」の情報が制御部に入力され、「１」のボタンを４回押すと「エ」の情報が制御部に入力され、「１」のボタンを５回押すと「オ」の情報が制御部に入力されるように構成されている。又、「２」のボタンに対しては「カ行」の情報も割り当てられており、「２」のボタンを１回押すと「カ」の情報が制御部に入力され、「２」のボタンを２回押すと「キ」の情報が制御部に入力され、「２」のボタンを３回押すと「ク」の情報が制御部に入力され、「２」のボタンを４回押すと「ケ」の情報が制御部に入力され、「２」のボタンを５回押すと「コ」の情報が制御部に入力されるように構成されている。又、「３」「４」「５」「６」「７」「８」「９」「０」のボタンに対しては「サ行」「タ行」「ナ行」「ハ行」「マ行」「ヤ行」「ラ行」「ワ、ヲ、ン」の情報が各々割り当てられていて、同様に構成されている。
【０００３】
そして、このような従来の携帯電話機を用いてメールにより通信を行おうとすると、例えば「ケイタイ」を文字入力しようとすると、「２」のボタンを４回押下して「ケ」を文字入力し、次いで「１」のボタンを２回押下して「イ」を文字入力し、そして「３」のボタンを１回押下して「タ」を文字入力し、最後に「１」のボタンを２回押下して「イ」を文字入力することで実行される。
【０００４】
しかしながら、僅か４文字の「ケイタイ」を入力する場合でも、ボタンを合計９回も押下しなければならない。
【０００５】
これが、例えば「ソコノコ」を入力しようとすると、ボタンを合計２０回も押下しなければならない。
【０００６】
これでは、入力作業が大変である。かつ、携帯電話機の入力用ボタンは携帯電話機であるが故に小さい。従って、老齢になるにつれて、メール通信の為の作業は益々苦痛なものとなるであろう。
【０００７】
ところで、携帯電話機として、図１３に示される如く、ペンシル型の筺体の上部のダイヤル状の入力ダイヤル部２１と、該入力ダイヤル部２１と連動して回転する可変ボリューム２２とを有し、可変ボリューム２２の回転により数字や文字の選択を行うことが出来、そして選択された数字や文字が入力されるように構成されたペンシル型携帯電話機が提案（特開平１０−２２４４４１号公報）されている。
【０００８】
又、図１４に示される如く、１回のキーの押圧で１群の文字及び／又は記号を選択し、２回目以降のキーの押圧で個々の文字及び／又は記号を選択する文字入力装置において、入力に用いるキーとして、環を形成するように配置された６個以上の接点を有するスイッチ３１を設けてなる文字入力装置が提案（特開２００３−１５０３０３号公報）されている。
【特許文献１】特開平１０−２２４４４１号公報
【特許文献２】特開２００３−１５０３０３号公報
【発明の開示】
【発明が解決しようとする課題】
【０００９】
ところで、上記特開平１０−２２４４４１号公報のペンシル型携帯電話機において、文字を入力しようとすると、１個の入力ダイヤル部の回転によって「ア」〜「ン」までの５０音が選択されるものであるから、非常に煩瑣なものになる。例えば、「ワイダ」を入力しようとすると、先ず、ダイヤルを最後の方の位置（回転角度を大きく回した位置であって、「ワ」の対応位置）に回転させ、この後で最初の方の位置（前記回転位置から大きく反転して最初の方の位置に戻した位置であって、「イ」の対応位置）まで逆回転させ、この後で中間の位置（「タ」の対応位置）に再度回すと言った煩瑣な作業を要求される。従って、スピーディ、かつ、スムーズな入力作業は期待し得ない。
【００１０】
他方、上記特開２００３−１５０３０３号公報の入力装置では、一つの文字を入力するのに、少なくとも２回の押下が必要である。しかも、１回目の押下によって選ばれる文字群を画面に表示させなければ、次の押下によって如何なる文字を入力するのかは判り難い。このことは、画面に表示された文字群を見ながらの入力作業となり、それだけスピーディ、かつ、スムーズな入力作業は期待し得ない。
【００１１】
ところで、現在、携帯電話機を用いてのメール通信は、テンキーのキーを押下することによって行われている。
【００１２】
そして、携帯電話機を用いてメール通信を行うユーザは、テンキーのキー押下回数が多いことを除けば、その使用方法に非常に慣れ親しんでいる。このことは、即ち、例えば特開平１０−２２４４４１号公報や特開２００３−１５０３０３号公報に示される如きのテンキーを用いない文字入力の手法を採用して、携帯電話機における文字入力方法を大きく変更することは、ユーザ無視に繋がるとも言える。
【００１３】
このような観点からすると、文字入力に際してのテンキーの押下回数を少なく出来れば、極めてスピーディ、かつ、スムーズに入力作業が可能なものになる。
【００１４】
従って、本発明が解決しようとする課題は、携帯電話機におけるテンキー入力による方法を大きく変えることなく、即ち、慣れ親しんだ文字入力方法に基本的な変更を加えること無く、しかしながらキーの押下回数を少なくできる文字入力が可能な携帯電話機を提供することである。
【課題を解決するための手段】
【００１５】
前記の課題は、テンキーを備えた携帯電話機において、
テンキーにおける第１のキーには少なくとも５ケ所の位置に対応してセンサが設けられ、この５ケ所の位置におけるセンサに対応して「ア」「イ」「ウ」「エ」「オ」に対応する情報が割り振られていて、第１のキーにおけるセンサの「ア」「イ」「ウ」「エ」「オ」に対応する位置の動作により「ア」「イ」「ウ」「エ」「オ」の情報が携帯電話機の制御手段に入力されるよう構成されており、
テンキーにおける第２のキーには少なくとも５ケ所の位置に対応してセンサが設けられ、この５ケ所の位置におけるセンサに対応して「カ」「キ」「ク」「ケ」「コ」に対応する情報が割り振られていて、第２のキーにおけるセンサの「カ」「キ」「ク」「ケ」「コ」に対応する位置の動作により「カ」「キ」「ク」「ケ」「コ」の情報が携帯電話機の制御手段に入力されるよう構成されており、
テンキーにおける第３のキーには少なくとも５ケ所の位置に対応してセンサが設けられ、この５ケ所の位置におけるセンサに対応して「サ」「シ」「ス」「セ」「ソ」に対応する情報が割り振られていて、第３のキーにおけるセンサの「サ」「シ」「ス」「セ」「ソ」に対応する位置の動作により「サ」「シ」「ス」「セ」「ソ」の情報が携帯電話機の制御手段に入力されるよう構成されており、
テンキーにおける第４のキーには少なくとも５ケ所の位置に対応してセンサが設けられ、この５ケ所の位置におけるセンサに対応して「タ」「チ」「ツ」「テ」「ト」に対応する情報が割り振られていて、第４のキーにおけるセンサの「タ」「チ」「ツ」「テ」「ト」に対応する位置の動作により「タ」「チ」「ツ」「テ」「ト」の情報が携帯電話機の制御手段に入力されるよう構成されており、
テンキーにおける第５のキーには少なくとも５ケ所の位置に対応してセンサが設けられ、この５ケ所の位置におけるセンサに対応して「ナ」「ニ」「ヌ」「ネ」「ノ」に対応する情報が割り振られていて、第５のキーにおけるセンサの「ナ」「ニ」「ヌ」「ネ」「ノ」に対応する位置の動作により「ナ」「ニ」「ヌ」「ネ」「ノ」の情報が携帯電話機の制御手段に入力されるよう構成されており、
テンキーにおける第６のキーには少なくとも５ケ所の位置に対応してセンサが設けられ、この５ケ所の位置におけるセンサに対応して「ハ」「ヒ」「フ」「ヘ」「ホ」に対応する情報が割り振られていて、第６のキーにおけるセンサの「ハ」「ヒ」「フ」「ヘ」「ホ」に対応する位置の動作により「ハ」「ヒ」「フ」「ヘ」「ホ」の情報が携帯電話機の制御手段に入力されるよう構成されており、
テンキーにおける第７のキーには少なくとも５ケ所の位置に対応してセンサが設けられ、この５ケ所の位置におけるセンサに対応して「マ」「ミ」「ム」「メ」「モ」に対応する情報が割り振られていて、第７のキーにおけるセンサの「マ」「ミ」「ム」「メ」「モ」に対応する位置の動作により「マ」「ミ」「ム」「メ」「モ」の情報が携帯電話機の制御手段に入力されるよう構成されており、
テンキーにおける第８のキーには少なくとも３ケ所の位置に対応してセンサが設けられ、この３ケ所の位置におけるセンサに対応して「ヤ」「ユ」「ヨ」に対応する情報が割り振られていて、第８のキーにおけるセンサの「ヤ」「ユ」「ヨ」に対応する位置の動作により「ヤ」「ユ」「ヨ」の情報が携帯電話機の制御手段に入力されるよう構成されており、
テンキーにおける第９のキーには少なくとも５ケ所の位置に対応してセンサが設けられ、この５ケ所の位置におけるセンサに対応して「ラ」「リ」「ル」「レ」「ロ」に対応する情報が割り振られていて、第９のキーにおけるセンサの「ラ」「リ」「ル」「レ」「ロ」に対応する位置の動作により「ラ」「リ」「ル」「レ」「ロ」の情報が携帯電話機の制御手段に入力されるよう構成されている
ことを特徴とする携帯電話機によって解決される。
【００１６】
特に、テンキーを備えた携帯電話機において、
テンキーにおける第１のキーには少なくとも５ケ所の位置に対応してセンサが設けられ、この５ケ所の位置におけるセンサに対応して「ア」「イ」「ウ」「エ」「オ」に対応する情報が割り振られていて、第１のキーにおけるセンサの「ア」「イ」「ウ」「エ」「オ」に対応する位置の動作により「ア」「イ」「ウ」「エ」「オ」の情報が携帯電話機の制御手段に入力されるよう構成されており、
テンキーにおける第２のキーには少なくとも５ケ所の位置に対応してセンサが設けられ、この５ケ所の位置におけるセンサに対応して「カ」「キ」「ク」「ケ」「コ」に対応する情報が割り振られていて、第２のキーにおけるセンサの「カ」「キ」「ク」「ケ」「コ」に対応する位置の動作により「カ」「キ」「ク」「ケ」「コ」の情報が携帯電話機の制御手段に入力されるよう構成されており、
テンキーにおける第３のキーには少なくとも５ケ所の位置に対応してセンサが設けられ、この５ケ所の位置におけるセンサに対応して「サ」「シ」「ス」「セ」「ソ」に対応する情報が割り振られていて、第３のキーにおけるセンサの「サ」「シ」「ス」「セ」「ソ」に対応する位置の動作により「サ」「シ」「ス」「セ」「ソ」の情報が携帯電話機の制御手段に入力されるよう構成されており、
テンキーにおける第４のキーには少なくとも５ケ所の位置に対応してセンサが設けられ、この５ケ所の位置におけるセンサに対応して「タ」「チ」「ツ」「テ」「ト」に対応する情報が割り振られていて、第４のキーにおけるセンサの「タ」「チ」「ツ」「テ」「ト」に対応する位置の動作により「タ」「チ」「ツ」「テ」「ト」の情報が携帯電話機の制御手段に入力されるよう構成されており、
テンキーにおける第５のキーには少なくとも５ケ所の位置に対応してセンサが設けられ、この５ケ所の位置におけるセンサに対応して「ナ」「ニ」「ヌ」「ネ」「ノ」に対応する情報が割り振られていて、第５のキーにおけるセンサの「ナ」「ニ」「ヌ」「ネ」「ノ」に対応する位置の動作により「ナ」「ニ」「ヌ」「ネ」「ノ」の情報が携帯電話機の制御手段に入力されるよう構成されており、
テンキーにおける第６のキーには少なくとも５ケ所の位置に対応してセンサが設けられ、この５ケ所の位置におけるセンサに対応して「ハ」「ヒ」「フ」「ヘ」「ホ」に対応する情報が割り振られていて、第６のキーにおけるセンサの「ハ」「ヒ」「フ」「ヘ」「ホ」に対応する位置の動作により「ハ」「ヒ」「フ」「ヘ」「ホ」の情報が携帯電話機の制御手段に入力されるよう構成されており、
テンキーにおける第７のキーには少なくとも５ケ所の位置に対応してセンサが設けられ、この５ケ所の位置におけるセンサに対応して「マ」「ミ」「ム」「メ」「モ」に対応する情報が割り振られていて、第７のキーにおけるセンサの「マ」「ミ」「ム」「メ」「モ」に対応する位置の動作により「マ」「ミ」「ム」「メ」「モ」の情報が携帯電話機の制御手段に入力されるよう構成されており、
テンキーにおける第８のキーには少なくとも３ケ所の位置に対応してセンサが設けられ、この３ケ所の位置におけるセンサに対応して「ヤ」「ユ」「ヨ」に対応する情報が割り振られていて、第８のキーにおけるセンサの「ヤ」「ユ」「ヨ」に対応する位置の動作により「ヤ」「ユ」「ヨ」の情報が携帯電話機の制御手段に入力されるよう構成されており、
テンキーにおける第９のキーには少なくとも５ケ所の位置に対応してセンサが設けられ、この５ケ所の位置におけるセンサに対応して「ラ」「リ」「ル」「レ」「ロ」に対応する情報が割り振られていて、第９のキーにおけるセンサの「ラ」「リ」「ル」「レ」「ロ」に対応する位置の動作により「ラ」「リ」「ル」「レ」「ロ」の情報が携帯電話機の制御手段に入力されるよう構成されている
テンキーにおける第１０のキーには少なくとも３ケ所の位置に対応してセンサが設けられ、この３ケ所の位置におけるセンサに対応して「ワ」「ヲ」「ン」に対応する情報が割り振られていて、第１０のキーにおけるセンサの「ワ」「ヲ」「ン」に対応する位置の動作により「ワ」「ヲ」「ン」の情報が携帯電話機の制御手段に入力されるよう構成されていることを特徴とする携帯電話機によって解決される。
【発明の効果】
【００１７】
本発明の文字入力は、現在、市販の通常の携帯電話機と同様に、テンキーのキー押下によって行える。
【００１８】
従って、現在までに非常に慣れ親しんでいる文字入力方法に大きな変更が無いから、ユーザは、文字入力作業に戸惑うことが無い。すなわち、非常に使い易いと言う大きな特長が奏される。
【００１９】
しかも、どのような文字であろうとも、たった１回のキー押下によって文字入力が行える。
【００２０】
例えば、「コノコ」を入力しようとすると、従来では、１５回もキーの押下が必要であったものの、本発明によれば、たった３回のキー押下で入力できる。
【００２１】
従って、これまでに慣れ親しんだ文字入力方法を全く損なうことなく、しかもこれまでの文字入力方法に比べたならば遥かに短時間で文字入力が可能になる。
【発明を実施するための最良の形態】
【００２２】
図１〜図１２は本発明になる携帯電話機の１実施形態を示すもので、図１は携帯電話機の全体の説明図、図２〜図１１は「１」「２」「３」「４」「５」「６」「７」「８」「９」「０」に対応するキーの説明図、図１２は携帯電話機のブロック図である。
【００２３】
各図中、Ｎは折畳式の携帯電話機である。１は液晶画面、２は入力手段であり、「１」「２」「３」「４」「５」「６」「７」「８」「９」「０」「＊」「＃」等のキー（釦）などからなる。３はアンテナである。そして、このような構成は、市販の携帯電話機においても備わっており、周知であるから、詳細な説明は省略する。
【００２４】
本発明においては、「１」「２」「３」「４」「５」「６」「７」「８」「９」「０」の釦に対応して、感圧センサが複数個設けられている。
【００２５】
すなわち、釦「１」の下部には、図２や図１２に示される如く、その円周に沿って約７０°おきに感圧センサが計５個設けられており、各々の感圧センサに対応する釦「１」の表面部には「あ」「い」「う」「え」「お」の文字が表示されている。そして、釦「１」における「あ」の個所を押下したならば、「あ」に相当する信号が制御部４に入力されるように構成されている。又、釦「１」における「い」の個所を押下したならば「い」に相当する信号が制御部４に入力されるように構成され、同様に、釦「１」における「う」の個所を押下したならば「う」に相当する信号が制御部４に入力されるように構成され、釦「１」における「え」の個所を押下したならば「え」に相当する信号が制御部４に入力されるように構成され、釦「１」における「お」の個所を押下したならば「お」に相当する信号が制御部４に入力されるように構成されている。
【００２６】
釦「２」の下部にも、図３や図１２に示される如く、その円周に沿って約７０°おきに感圧センサが計５個設けられており、各々の感圧センサに対応する釦「２」の表面部には「か」「き」「く」「け」「こ」の文字が表示されている。そして、釦「２」における「か」の個所を押下したならば「か」に相当する信号が制御部４に入力されるように構成され、釦「２」における「き」の個所を押下したならば「き」に相当する信号が制御部４に入力されるように構成され、釦「２」における「く」の個所を押下したならば「く」に相当する信号が制御部４に入力されるように構成され、釦「２」における「け」の個所を押下したならば「け」に相当する信号が制御部４に入力されるように構成され、釦「２」における「こ」の個所を押下したならば「こ」に相当する信号が制御部４に入力されるように構成されている。
【００２７】
釦「３」の下部にも、図４や図１２に示される如く、その円周に沿って約７０°おきに感圧センサが計５個設けられており、各々の感圧センサに対応する釦「３」の表面部には「さ」「し」「す」「せ」「そ」の文字が表示されている。そして、釦「３」における「さ」の個所を押下したならば「さ」に相当する信号が制御部４に入力されるように構成され、釦「３」における「し」の個所を押下したならば「し」に相当する信号が制御部４に入力されるように構成され、釦「３」における「す」の個所を押下したならば「す」に相当する信号が制御部４に入力されるように構成され、釦「３」における「せ」の個所を押下したならば「せ」に相当する信号が制御部４に入力されるように構成され、釦「３」における「そ」の個所を押下したならば「そ」に相当する信号が制御部４に入力されるように構成されている。
【００２８】
釦「４」の下部にも、図５や図１２に示される如く、その円周に沿って約７０°おきに感圧センサが計５個設けられており、各々の感圧センサに対応する釦「４」の表面部には「た」「ち」「つ」「て」「と」の文字が表示されており、上記釦「１」「２」「３」等と同様に構成されている。
【００２９】
釦「５」の下部にも、図６や図１２に示される如く、その円周に沿って約７０°おきに感圧センサが計５個設けられており、各々の感圧センサに対応する釦「５」の表面部には「な」「に」「ぬ」「ね」「の」の文字が表示されており、上記釦「１」「２」「３」「４」等と同様に構成されている。
【００３０】
釦「６」の下部にも、図７や図１２に示される如く、その円周に沿って約７０°おきに感圧センサが計５個設けられており、各々の感圧センサに対応する釦「６」の表面部には「は」「ひ」「ふ」「へ」「ほ」の文字が表示されており、上記釦「１」「２」「３」「４」「５」等と同様に構成されている。
【００３１】
釦「７」の下部にも、図８や図１２に示される如く、その円周に沿って約７０°おきに感圧センサが計５個設けられており、各々の感圧センサに対応する釦「７」の表面部には「ま」「み」「む」「め」「も」の文字が表示されており、上記釦「１」「２」「３」「４」「５」「６」等と同様に構成されている。
【００３２】
釦「８」の下部には、図９や図１２に示される如く、その円周に沿って約１２０°おきに感圧センサが計３個設けられており、各々の感圧センサに対応する釦「８」の表面部には「や」「ゆ」「よ」の文字が表示されている。そして、釦「８」における「や」の個所を押下したならば「や」に相当する信号が制御部４に入力されるように構成され、釦「８」における「ゆ」の個所を押下したならば「ゆ」に相当する信号が制御部４に入力されるように構成され、釦「８」における「よ」の個所を押下したならば「よ」に相当する信号が制御部４に入力されるように構成されている。
【００３３】
釦「９」の下部にも、図１０や図１２に示される如く、その円周に沿って約７０°おきに感圧センサが計５個設けられており、各々の感圧センサに対応する釦「９」の表面部には「ら」「り」「る」「れ」「ろ」の文字が表示されており、上記釦「１」「２」「３」「４」「５」「６」「７」等と同様に構成されている。
【００３４】
釦「０」の下部には、図１１や図１２に示される如く、その円周に沿って約１２０°おきに感圧センサが計３個設けられており、各々の感圧センサに対応する釦「０」の表面部には「わ」「を」「ん」の文字が表示されている。そして、釦「０」における「わ」の個所を押下したならば「わ」に相当する信号が制御部４に入力されるように構成され、釦「０」における「を」の個所を押下したならば「を」に相当する信号が制御部４に入力されるように構成され、釦「０」における「ん」の個所を押下したならば「ん」に相当する信号が制御部４に入力されるように構成されている。
【００３５】
尚、釦（キー）が押された場合に感圧センサが作動し、この感圧センサからの信号が制御部４に入力され、制御部４は各部を制御するようになっている。そして、制御部４の構成は、これまでの携帯電話機における制御部の構成と基本的には同様なものであるから、詳細な説明は省略される。
【００３６】
以上述べたように、本発明にあっては、テンキーの各々に「あ」〜「ん」の文字を割り振り、キー（釦）１回の押下によって「あ」〜「ん」の文字情報が入力できるように構成されている。
【００３７】
すなわち、文字入力は、現在、市販の通常の携帯電話機と同様に、テンキーのキー押下によって行われる。よって、現在までに非常に慣れ親しんでいる文字入力方法に大きな変更が無いから、ユーザは、文字入力作業に戸惑うことが無い。すなわち、非常に使い易い。
【００３８】
しかも、どのような文字であろうとも、たった１回のキー押下によって文字入力が行われる。従って、極めてスピーディに文字入力が行える。
【図面の簡単な説明】
【００３９】
【図１】本発明になる携帯電話機全体の説明図
【図２】本発明になる携帯電話機のキー「１」の概略説明図
【図３】本発明になる携帯電話機のキー「２」の概略説明図
【図４】本発明になる携帯電話機のキー「３」の概略説明図
【図５】本発明になる携帯電話機のキー「４」の概略説明図
【図６】本発明になる携帯電話機のキー「５」の概略説明図
【図７】本発明になる携帯電話機のキー「６」の概略説明図
【図８】本発明になる携帯電話機のキー「７」の概略説明図
【図９】本発明になる携帯電話機のキー「８」の概略説明図
【図１０】本発明になる携帯電話機のキー「９」の概略説明図
【図１１】本発明になる携帯電話機のキー「０」の概略説明図
【図１２】本発明になる携帯電話機のブロック図
【図１３】従来の携帯電話機の概略説明図
【図１４】従来の携帯電話機の概略説明図
【符号の説明】
【００４０】
Ｎ        携帯電話機
１        液晶画面
２        入力手段
４        制御部
特許出願人  日本電気株式会社
特許出願人  ＮＥＣモバイリング株式会社
代  理  人  宇      高      克      己
【図１】
2005244264.tif 000003
【図２】
2005244264.tif 000004
【図３】
2005244264.tif 000005
【図４】
2005244264.tif 000006
【図５】
2005244264.tif 000007
【図６】
2005244264.tif 000008
【図７】
2005244264.tif 000009
【図８】
2005244264.tif 000010
【図９】
2005244264.tif 000011
【図１０】
2005244264.tif 000012
【図１１】
2005244264.tif 000013
【図１２】
2005244264.tif 000014
【図１３】
2005244264.tif 000015
【図１４】
2005244264.tif 000016